(57)【要約】【課題】電子機器の電池収納部の構造において、電池を出し入れするための電池蓋の開閉による破損を防止する。【解決手段】電池を収納する電池ケース１０の電池蓋１８は、電池ボックス１６に固定されたシャフト２０に支持されている。電池蓋は、蓋部２２と、この蓋部をシャフト２０に対し支持する支持アーム２４を含む。また、蓋部２２にフック２８が形成され、このフックが電池ボックスのフック受け３０に係合して、電池蓋を閉じ位置に保持する。電池蓋を、閉位置からシャフトの軸方向に沿って摺動することにより、フックの係合が解かれ、その後シャフトを軸にして回動して開く。回動中は、支持アームの側面にストッパ４６が当接し、電池蓋の摺動を阻止する。これにより、回動して閉じようとしたときに、フック２８がフック受け３０の上から乗り上げるようにして当接することを防止できる。【選択図】図２
2006156322.tif 000002
【特許請求の範囲】
【請求項１】
一端に電池を出し入れする開口を有し電池を収納する電池ボックスと、前記開口を開閉する電池蓋とを有する、電子機器の電池収納構造であって、
電池蓋には、電池蓋の閉位置において、電池ボックスのフック受けと係合するフックが設けられ、
電池蓋は、
電池ボックスに配置されるシャフトに、シャフトを軸として回動可能に、またシャフトの軸方向に摺動可能に支持され、閉位置から摺動することにより前記フックとフック受けの係合が解除され、電池蓋の回動が許容されるフック解除位置に移動し、フック解除位置から回動して前記開口を開放する開位置に移動し、
電池蓋と電池ボックスには、電池蓋が前記フック解除位置にあるとき前記閉位置への摺動を許容し、前記フック解除位置と前記開位置の間にあるときには摺動方向の移動を阻止する摺動阻止構造が設けられている、
電池収納構造。
【請求項２】
請求項１に記載の電池収納構造であって、
前記摺動阻止構造は、
電池蓋においては、電池ボックス開口部を覆う蓋部を前記シャフトより支持する支持アーム、電池ボックスにおいては、電池蓋が前記フック解除位置と前記開位置の間にあるとき前記支持アームの側面に当接するストッパを含み、
電池蓋が前記フック解除位置にあるときに、前記ストッパの支持アームへの当接が解除され、電池蓋の閉位置への摺動を許容する、
電池収納構造。
【請求項３】
請求項２に記載の電池収納構造であって、
前記支持アームは略レの字形であり、電池蓋が前記フック解除位置にあるときに、前記ストッパは当該支持アームの略レの字形の内側部分に位置することにより、支持アームへの当接が解除される、
電池収納構造。
【請求項４】
請求項１から３のいずれか１項に記載の電池収納構造であって、
電池蓋の閉位置からの摺動を阻止するラッチを含み、
さらに、電池蓋をフック解除位置から開位置へと付勢する第１ばねと、電池蓋を閉位置からフック解除位置へと付勢する第２ばねと、を有し、
前記ラッチを開放すると、電池蓋は、第２ばねによりフック解除位置へと摺動され、続いて第１ばねによりフック解除位置から開位置へと回動される、
電池蓋の収納構造。
【請求項５】
請求項１から３のいずれか１項に記載の電池収納構造であって、
電池蓋の閉位置からの摺動を阻止するラッチを含み、
さらに、電池蓋をフック解除位置から開位置へと付勢し、かつ閉位置からフック解除位置へと付勢する単一のばねを有し、
前記ラッチを解放すると、電池蓋は、前記ばねによりフック解除位置へと摺動され、続いて開位置へと回動される、
電池蓋の収納構造。
【請求項６】
一端に電池を出し入れする開口を有し電池を収納する電池ボックスと、前記開口を開閉する電池蓋とを有する、電子機器の電池収納構造であって、
電池蓋は、
電池ボックスに回動可能に支持された蓋ベースと、
蓋ベースに摺動可能に支持され、前記開口を覆うことができ、電池蓋の閉位置において、電池ボックスのフック受けと係合するフックが設けられた蓋体と、
を有し、
さらに、電池蓋は、
蓋体を閉位置から摺動させることにより前記フックとフック受けの係合が解除され、電池蓋の回動が許容されるフック解除位置となり、フック解除位置から蓋ベースを回動して前記開口を開口する開位置に移動し、
電池蓋と電池ボックスには、電池蓋が前記フック解除位置にあるとき前記閉位置への摺動を許容し、前記フック解除位置と前記開位置の間にあるときには、蓋体の摺動方向の移動を阻止する摺動阻止構造が設けられている、
電池収納構造。
【請求項７】
請求項６に記載の電池収納構造であって、
前記摺動阻止構造は、
電池蓋においては、蓋ベースに設けられ、電池蓋が前記フック解除位置と前記開位置の間にあるとき、蓋体に、当該蓋体の摺動方向より当接し、蓋体の閉位置への摺動を阻止するストッパを、
電池ボックスにおいては、電池蓋が開位置より前記フック解除位置となったとき、前記ストッパに、その当接方向の側方より当接してストッパを撓ませ、蓋体の係合を解除する解除突起を、
含む、
電池収納構造。
【請求項８】
請求項６に記載の電池収納構造であって、
前記摺動阻止構造は、
電池蓋においては、蓋体に設けられ、電池蓋が前記フック解除位置と前記開位置の間にあるとき、蓋ベースに係合して、蓋体の閉位置への摺動を阻止するストッパを、
電池ボックスにおいては、電池蓋が開位置より前記フック解除位置となったとき、前記ストッパに、その当接方向の側方より当接してストッパを撓ませ、蓋体の係合を解除する解除突起を、
含む、
電池収納構造。
【請求項９】
請求項１から８のいずれか１項に記載の電池収納構造であって、
前記電池蓋の内側の面には、電池の接点と接触する接片が配置され、電池蓋開閉時の摺動により、電池の接点と接片が擦れて、これらの表面の酸化被膜を削る、
電池収納構造。
【発明の詳細な説明】
【技術分野】
【０００１】
本発明は、電子機器の電池収納構造に関し、特に収納部分に電池を出し入れする開口を開閉する電池蓋およびその周囲の構造に関する。
【背景技術】
【０００２】
乾電池などの一次電池を電源とする電子機器は、電池を交換するために電池収納部分に開閉可能な蓋を設けている。下記特許文献１には、開閉する際に、摺動と回動を組み合わせた動作をする蓋が記載されている。具体的には、電池収納室に対して回動可能に支持される回動部材と、この回動部材を案内として摺動する電池蓋とが示されている。電池蓋を開く際には、まず、電池の出し入れの方向と直交する方向に電池蓋を摺動させ、これによって電池の収納部分と係合している蓋のフックの係合を解除し、その後電池蓋と回動部材とを一体に回動させて、電池を取り出せるようにしている。蓋を閉じる際には、開けるときと逆の動作、すなわちまず蓋を回動させ、その後摺動させてフックを係合する。摺動時には蓋の内側に設けられている接点と電池の電極が擦られて、電極に形成される酸化被膜を剥離することにより接点抵抗が低減される。また、回動動作を組み合わせることにより、簡単な構造で、本体から蓋が分離されないようにし、蓋の紛失等を防止している。
【０００３】
【特許文献１】特開平１１−２２４６５４号公報
【発明の開示】
【発明が解決しようとする課題】
【０００４】
前記公報に記載の電池蓋の開閉構造においては、電池蓋は、回動部材がどの回動位置にあっても摺動可能である。このため、電池蓋が正規の摺動位置にない状態でこれを回動し、閉じようとした場合、本来であれば摺動によって係合されるフックとフックを受ける部分が、直接当接し、蓋を閉められない場合がある。また、無理に閉めようとすれば、フックなどが破損する可能性もある。
【０００５】
本発明は、簡単な操作で電池蓋が開閉するようにし、また閉じる際にフック等に無理な力がかからないようにする。
【課題を解決するための手段】
【０００６】
本発明の電池収納構造は、電池を収納する電池ボックスの開口を開閉する電池蓋を有し、電池蓋には、電池蓋の閉位置において電池ボックスのフック受けと係合するフックが設けられている。電池蓋は、電池ボックスに配置されるシャフトに、これを軸として回動可能に、またこれの軸方向に摺動可能に支持されている。電池蓋を開くときには、まず、閉位置からシャフトの軸方向に沿って摺動させて、フックの係合を解除する（フック解除位置）。フックの係合の解除により電池蓋の回動が許容される。このフック解除位置から、シャフトを軸として回動させて電池蓋を開く（開位置）。電池蓋と電池ボックスには、電池蓋が前記フック解除位置にあるとき、前記閉位置への摺動を許容し、前記フック解除位置と前記開位置の間にあるときは摺動方向の移動を阻止する摺動阻止構造が設けられている。この摺動阻止構造により、電池蓋を閉めようとするとき、開位置からフック解除位置まで回動中は、閉位置の方向への摺動が阻止され、フック解除位置に達して阻止が解除されて閉位置への摺動が可能となる。
【０００７】
前記摺動阻止構造は、電池ボックスの開口を覆う蓋部を、シャフトより支持する支持アームと、電池ボックスに設けられ支持アームの側面に当接するストッパとを含むことが好ましい。ストッパが支持アームの側面に当接しているときは、支持アーム、すなわち電池蓋が閉位置側に摺動することが阻止され、電池蓋がフック解除位置にあるときにはストッパの当接が解除され、摺動が許容される。
【０００８】
さらに、摺動阻止構造の好適な例においては、前記支持アームを略レの字形とすることができ、電池蓋がフック解除位置にあるときに、前記ストッパは略レの字形の内側部分に位置することにより、支持アームの当接が解除されるように配置される。
【０００９】
さらに、電池蓋をフック解除位置から開位置へと付勢する第１ばねと、電池蓋を閉位置からフック解除位置へと付勢する第２ばねを設け、蓋の開閉をばねの付勢力により行うようにすることができる。電池蓋の閉位置への保持を解除すると、第２ばねにより電池蓋がフック解除位置へと摺動し、さらにここから第１ばねにより開位置へと回動する。また、前記第１及び第２のばねに替えて、回動方向と摺動方向の両方に付勢力を作用することができる単一のばねを用いることもできる。
【００１０】
また、本発明にかかる他の電池収納構造は、電池を収納する電池ボックスの開口を開閉する電池蓋を有し、電池蓋は、電池ボックスに回動可能に支持された蓋ベースに摺動可能に支持され、前記開口を覆うことができ、電池蓋の閉位置において、電池ボックスのフック受けと係合するフックが設けられた蓋体を有している。さらに、電池蓋は、蓋体を閉位置から摺動させることにより前記フックとフック受けの係合が解除され、電池蓋の回動が許容されるフック解除位置となり、フック解除位置から電池蓋を回動して前記開口を開口する開位置に移動する。電池蓋と電池ボックスには、電池蓋が前記フック解除位置にあるとき前記閉位置への摺動を許容し、前記フック解除位置と前記開位置の間にあるときには、蓋体の摺動方向の移動を阻止する摺動阻止構造が設けられている。
【００１１】
この他の電池収納構造の摺動阻止構造は、電池蓋においては、蓋ベースに設けられ、電池蓋が前記フック解除位置と前記開位置の間にあるとき、蓋体に、当該蓋体の摺動方向より当接し、蓋体の閉位置への摺動を阻止するストッパを含み、また電池ボックスにおいては、電池蓋が開位置より前記フック解除位置となったとき、前記ストッパに、その当接方向の側方より当接してストッパを撓ませ、蓋体の係合を解除する解除突起を含むものとすることができる。
【００１２】
また、別の摺動阻止構造は、電池蓋においては、蓋体に設けられ、電池蓋が前記フック解除位置と前記開位置の間にあるとき、蓋ベースに係合して、蓋体の閉位置への摺動を阻止するストッパを含み、また電池ボックスにおいては、電池蓋が開位置より前記フック解除位置となったとき、前記ストッパに、その当接方向の側方より当接してストッパを撓ませ、蓋体の係合を解除する解除突起を含むものとすることができる。
【発明を実施するための最良の形態】
【００１３】
以下、本発明の実施形態を、図面に従って説明する。図１は、デジタルカメラなど携帯用の電子機器の電池を収納する電池ケース１０の外形を示す斜視図である。電池ケース１０は、電池を収納する収納空間１２（図２参照）が内部に形成され、収納される電池を交換するために収納空間１２を開放する開口１４（図２参照）が形成された電池ボックス１６と、この開口１４を開閉する電池蓋１８とを含む。電池蓋１８は、概略、矢印Ａの方向の摺動と、矢印Ｂの方向の回動により開閉する。電池蓋１８は、図１において、ほぼ直立するまで回動し、これにより開口１４を開口し、収納されていた電池は上方へ引き出される。収納時には電池は、逆に上方より収納空間１２に挿入される。電池蓋１８の摺動方向（矢印Ａの方向）は、電池の出し入れの方向に対しては直交する方向となる。開口１４に隣接し、電池の出し入れ方向に直交する方向にシャフト２０が配置される。電池蓋１８はこのシャフト２０に摺動、回動を許容して支持されている。すなわち、電池蓋１８は、シャフト２０をガイドとして矢印Ａの方向に摺動し、またシャフト２０を軸として矢印Ｂの方向に回動する。
【００１４】
図２は電池蓋１８が開いた電池ケース１０の開口１４周囲の詳細を示す図である。また、図３は電池蓋１８単体を示す図である。電池蓋１８は、開口１４を覆う蓋部２２と、蓋部２２をシャフト２０より支持する支持アーム２４を含む。また、蓋部２２の内側の面には電池の端子と接触する接片が支持されている。電池蓋の摺動方向の両端には、摺動方向Ａにおいて、閉じる向きに突出してフック２８が形成されている。これらのフック２８は、電池蓋１８が閉じたときには、電池ボックス１６の対応する位置に設けられたフック受け３０の下に潜り込むようになり、電池蓋１８が開く方向（矢印Ｂの方向）に回動することを阻止する。また、図２中右端のフック２８の下面には係止突起３２が形成され、電池蓋１８を閉じたときには、電池ボックス１６の対向する位置にある窪み３４内に固定された係止ばね３５（図６，７参照）に係合し、これにより電池蓋１８が閉じた状態に保持される。
【００１５】
支持アーム２４は、シャフトの直交する断面形状が、片仮名のレの字に似た形状となっており、レの字の縦の棒に相当する基端側アーム部３６の一端（レの字の上端）に、シャフト２０が貫通する貫通孔３８を有するシャフト筒３９を有している。基端側アーム部３６は、シャフト２０の軸方向に二つに分割されており、その間の部分にはコイルばね４０が配置されている（図１参照）。コイルばね４０は、電池蓋１８を、これが開く向きの回動方向に付勢するばねであり、以下回動ばね４０と記して説明する。支持アーム２４の、レの字の弧を描く部分に相当する先端側アーム部４２は、基端側アーム部３６の、シャフト筒３９が設けられた側と反対側の端と蓋部２２とを接続する。シャフト２０は、電池蓋１８の蓋部２２の形成する平面内、またはこの平面の極近傍に平行に位置し、支持アーム２４は、そのレの字形状により、飛び出すように位置している。また、シャフト２０は、シャフト筒３９に固定し、電池ボックスに対して摺動するようにすることもでき、さらに、電池蓋と一体に成形することもできる。
【００１６】
電池ボックス１６の、支持アーム２４の側面４４に対向する位置には、ストッパ４６が設けられている。ストッパ４６は、図２によく示されるように、電池蓋１８が開いているときには、支持アーム２４の側面に当接しており、電池蓋１８が摺動方向の右向きに動くのを阻止している。後に詳述するが、電池蓋１８が、図２の開放した位置から、開口１４を塞ぐ位置まで回動すると、ストッパ４６と支持アーム２４は接触が解除され、これにより電池蓋１８の右方向への摺動が許容される。
【００１７】
図４から図８は、電池蓋１８の開閉動作の説明図である。図４は、電池蓋１８が閉じた状態（閉位置）を示す斜視図であり、この状態の３方向の断面図が図６に示されている。図５は、電池蓋１８を図４の矢印Ａ（図１の矢印Ａと同様）の向きに摺動させた状態を示す斜視図であり、この状態の３方向の断面図が図７に示されている。図５および図７の状態で、電池蓋１８のフック２８と、電池ボックス１６のフック受け３０との係合が解除され、よって、以降、電池蓋１８のこの位置をフック解除位置と呼ぶ。図８は、図２に示す電池蓋が開放された状態の２方向の断面図である。図６、図７および図８の（ａ）は、電池の出し入れの方向に直交する断面、（ｂ）はシャフト２０の軸方向より見た断面、図６および図７の（ｃ）は、（ａ），（ｂ）の断面に直交する断面を、それぞれ模式的に示した図である。
【００１８】
電池蓋１８が閉位置にあるときには、フック２８とフック受け３０が係合して、回動して開く向きの動きを阻止している。また、係止突起３２が係止ばね３５と係合することで、摺動方向の動きも止められている。電池蓋１８を開ける場合には、まず電池蓋１８を、係止ばね３５の係止力を超える力で、図４の矢印Ａの向きに摺動させる。支持アーム２４が納まる電池ボックス１６の端面に、支持アーム２４が当接するまで、電池蓋１８を摺動させると、フック２８とフック受け３０の係合が解除される。この位置がフック解除位置である。このとき、ストッパ４６は、支持アーム２４のレの字の内側の部分５０から抜き出された状態になる。フック２８とフック受け３０、ストッパ４６と支持アーム２４の係合が解かれているので、電池蓋１８は、回動ばね４０の付勢力によって図１に示す矢印Ｂの向きに回動し、電池ボックスの開口１４を開放する。
【００１９】
閉じるときには、逆の動作を行う。電池蓋１８が開位置にあるときには、ストッパ４６が支持アーム２４の側面に当接して、電池蓋１８が閉位置側に移動するのを阻止する。電池蓋１８をフック解除位置に戻す間もストッパにより電池蓋１８の摺動が阻止され、回動動作によりフック２８がフック受け３０の上から、これに当接することが防止される。フック解除位置に達するとストッパ４６は、支持アーム２４のレの字の内側部分５０に位置し、支持アーム２４への当接が解除され、閉位置に向けての移動が許容される。電池蓋１８を閉位置へと摺動させてフック２８を係合する。
【００２０】
以上のように、本実施形態の電池蓋１８は、蓋部２２の形成する平面内、またはこれに近接するシャフト２０に対し、支持アーム２４により支持されている。支持アーム２４は、シャフト２０に支持される部分から、一旦前記の平面から出る方向に延び、屈曲して再び前記平面に戻って、ここで蓋部２２につながる。支持アーム２４のこのような形状によって、電池蓋１８が閉じ位置にあるときに、支持アーム２４がストッパ４６を迂回し、これに当接しないようになっている。したがって、支持アーム２４の略レの字形とは、片仮名の「レ」の字の形状そのものを指すものではなく、前述の機能を有する形状を含むものであり、例えばＶ字形、Ｕ字形等も含むものである。
【００２１】
図９は、本発明にかかる他の実施形態の電池ケース６０の要部構成を示す分解斜視図である。電池ケース６０は、前述の電池ケース１０に対し、ワンタッチ操作で電池蓋を開く機能を有しており、そのための構成が付加されている。電池ケース１０と同一の構成要素については、同一の符号を付して、説明を省略する。
【００２２】
電池の収納空間１２を有する電池ボックス６２には、ラッチ片６４の動きを案内するラッチガイド６６が設けられている。ラッチ片６４は、ラッチばね６８により、ラッチ片が電池蓋に向けて付勢されている。電池蓋７０の支持アーム７２は、シャフト２０が貫通する孔を有する二つのシャフト筒７４が全体として図中右上の方向にずれて配置されている。二つのシャフト筒７４の間には、電池ケース１０の場合と同様に、回動ばね４０が配置され、更にこれに加えて、図中左側のシャフト筒７４と、電池ボックス６２の間にばね収納部７５が設けられ、電池蓋７０を図中右上に向けて付勢する摺動ばね７６がここに配置されている。
【００２３】
図１０は、電池蓋７０を内側から見た状態を示す分解斜視図である。電池蓋７０の内側の面の摺動方向において側面の、ラッチ片６４に対向する位置には、ラッチ受け７８が設けられている。このラッチ受け７８が設けられている以外は、電池蓋７０は、前述の電池蓋１８と同様の構成を有する。図１１は、ラッチ片６４とラッチ受け７８の関係を示す断面図であり、電池ボックス６２の上端面における電池蓋７０の断面が示されている。蓋部の縁に沿って設けられている壁の一部が切りかかれてラッチ受け７８を形成しており、ここにラッチ片６４が挿入され、電池蓋７０が閉位置に保持される。
【００２４】
電池蓋７０の開閉時の動作は、電池ケース１０の場合と概略同様である。異なる点は、電池蓋７０の、閉位置からフック解除位置まで摺動が、電池ケース１０の場合、人が指で押して摺動させたのに対し、電池ケース６０においては、ばねの付勢力によって行われる点である。電池蓋７０を開くには、ラッチ片６４を図１１の矢印Ｃの向きに動かし、ラッチの係合を解く。これにより、摺動ばね７６の付勢力が解放され、電池蓋７０が矢印Ａの向きに、フック解除位置まで摺動する。フック解除位置に達すると、回動ばね４０の付勢力で開位置まで電池蓋７０が回動する。なお、前出の電池ケース１０の場合でも、摺動ばね７６のように摺動方向に付勢するばねを設け、開動作の際に、係止ばね３５による係止が解除された後、フック解除位置までの摺動、さらに開位置までの回動がばねの付勢力により行われるようにすることができる。
【００２５】
閉じる動作は、電池ケース１０の場合と同様に、ストッパ４６の機能により、電池蓋７０の回動中にフック２８がフック受け３０に直接当接することが防止される。回動動作の最後に、図１０に符号８０で示すフックの下面が、ラッチ６４に当接する。フック下面７９が当接するラッチ６４の部分には斜面８０が形成され、さらに電池蓋７０を回動させると、この斜面８０の効果によりラッチ６４が退避、すなわち図１１の矢印Ｃの向きに移動する。これによって、電池蓋７０は、フック解除位置まで移動され、さらに摺動されて閉位置に移動する。
【００２６】
このように電池ケース６０の場合には、ラッチ片６４のワンタッチの操作で、電池蓋７０が開き、片手でも容易に開操作することができる。また、図９等に示される実施形態においては、摺動動作と回動動作を、摺動ばね７６と回動ばね４０で別個に行うものとしたが、摺動ばね７６に替えて、伸縮方向にも捩り方向にも作用するばね（図９に符号７７で示す）とすれば、ばねを一つに統合することができる。捩り方向にも作用させるためには、図示するように、コイルばねの両端を半径方向に延ばしたばねとすればよい。
【００２７】
図１０に示されるように、電池蓋７０の内側の面には電池の端子と電気的に接触する接片２６が配置されている。接片２６は、電池の極に接触する接点を有する金属部９０と、金属部の所定部分を覆って、電池の所定の極のみ金属部９０と接触させるための絶縁材料からなるキャップ９２，９４を含む。電池ケース６０に収納される電池は図１２に示される組電池９６である。組電池９６は、二つの円筒の単電池９８を、互いに極が逆向きとなるように組み合わせたものであり、一方の単電池が正極１００を上に向けており、他方は負極１０２を上に向けている。なお、組電池でない電池も収納可能であり、互いに独立した単電池９８を用いることも可能である。
【００２８】
金属部９０は、中央の基部１０４と、ここから左右に延びる腕部１０６，１０８を有し、全体として、基部１０４を頂点とする山形に形成されている。腕部１０６の中央には、組電池９６の正極１００と接触する正極接点１１０が形成されており、周縁はキャップ９２で囲まれている。キャップ９２の厚さは、その縁が正極接点１１０の頂点より高い位置となって、正極接点１１０が組電池の平らな負極１０２に対向しても、負極と接点の間に所定の間隔を形成する。正極１００は、電池の円筒径の端面より突出しているために、キャップ９２に阻止されることなく正極接点１１０と接触する。もう一方の腕部１０８の中央から外れた位置には、二つの負極接点１１２が配置されている。負極接点１１２は、金属部を形成する板金を手前側に引き起こして形成されており、キャップ９４に形成されたスリット１１４と係合して、更にキャップ９４の表面より若干突出している。腕部１０８に、負極１０２が対向する場合、負極１０２は正極に比較して、その面積が広いので、負極接点１１２と接触するが、正極１００が対向した場合には、正極は二つの負極接点１１２の間に位置してこれらと接触しない。特に、キャップ９４の中央部分には楕円または長円の窪み１１６が設けられ、正極１００はこの窪み１１６にはまり、横にずれて負極接点１１２と接触しないようになっている。
【００２９】
図１０に示されるように、電池蓋７０の内側の面には、支持ボス１１８と回り止め突起１２０，１２２が設けられている。これらの支持ボス１１８および二つの回り止め突起１２０，１２２は、電池蓋７０の内側の面に設けられた支持面１２４より突出している。また、回り止め突起１２０，１２２の断面は、突起１２０が方形、突起１２２が円形となっている。接片の基部１０４には、支持ボス１１８に対応して支持穴１２６が、また回り止め突起１２０，１２２に対応して回り止め穴１２８，１３０が設けられている。二つの回り止め穴は、穴１２８が方形、穴１３０が円形となっており、対応する突起１２０，１２２に対応している。これによって、接片２６を取り付ける際に、向きを間違えることを防止している。また、支持ボス１１８および回り止め突起１２０，１２２と、対向する各穴１２６，１２８，１３０は、その外径と内径の差が比較的大きくとられており、接片２６を電池蓋７０の裏面に取り付けた際にも、接片２６の動きを若干許容するようになっている。接片２６は、電池蓋内側面の支持面１２４上に載置され、支持ボス１１８に支持ビス１３２を固定することにより、支持される。
【００３０】
図１３は、電池蓋７０に接片２６を取り付けた状態を示す断面図である。図示するように、接片２６は、支持ビス１３２のフランジ部分と支持面１２４の間隙、すなわち支持ボス１１８の高さ分だけの遊びをもって支持されている。これと、前述したようにボス及び突起と、穴の径の差により、接片２６は、シーソーのように揺動可能に支持される。組電池９６は、二つの単電池９８を組み付けて作成されるが、このとき二つの単電池が軸方向にずれて組まれることがある。この場合、正極１１０と負極１０２の高さが変わることになる。接片２６が、シーソーのように揺動可能でなく、基部１０４を電池蓋７０に完全に固定した場合、左右の腕部１０６，１０８は互いに独立したものとなる。したがって、単電池がずれて組まれた場合、接点が電池の極に接触する圧力は、偏ったものとなる可能性がある。これに対して、本実施形態においては、接片２６は、シーソーのように揺動可能であり、電池のずれによる極の高さの差を吸収することができ、接点の接触圧を均等にすることができる。図１４は、電池ボックス１６の底部の様子を示す断面図である。接片１３４は、一端が電池ボックス１６の外壁に固定され、そこから湾曲して他端が、収納空間１２の底に延びている。組電池９６が収納されていない状態では図中、鎖線で示された位置にあり、組電池が挿入されると、押し込まれて図中の実線の位置となる。この状態でも、組電池９６と電池ボックス１６の底の間には隙間がある。電子機器が、落下などの衝撃を受けたとき、組電池９６は、前記の隙間分だけ動く可能性がある。このとき、電池蓋側の接片の接触圧が適切でないと、接片が組電池の動きに追従できず、瞬間的な断線を生じる場合がある。特に、接触圧が正、負極でアンバランスとなっていると、断線の可能性が高くなる。本実施形態においては、接片２６を遊びをもって支持し、シーソーの揺動を許容することで、二つの接点に対し、均等な接触圧を確保しており、瞬間的な断線が防止される。
【００３１】
図１５から図２０は、本発明にかかる他の実施形態の電池の収容構造、特に電池蓋周囲の構造を示す図である。図１５は、電池ケース１５０を上方、すなわち電池をケース内に挿入する方向より見た図である。図１６は図１５に示すＤ−Ｄ線における断面図であって電池を収容している状態、図１７は図１５に示すＥ−Ｅ線における断面図であって電池を収容していない状態を示す図である。また、図１８から図２０は、電池蓋開閉動作中の前記Ｅ−Ｅ線における断面図である。
【００３２】
図１５から図１７において、電池蓋１５２は、電池ケース１５０の開口を閉じた状態、すなわち閉位置にある。電池蓋１５２は、電池ケース１５０の開口を覆う部分である蓋体１５４と、この蓋体１５４を、図中左右方向に摺動可能に支持する蓋ベース１５６を含む。この蓋ベース１５６は、電池１５８を収容する電池ボックス１６０に設けられたシャフト１６２に回動可能に支持されている。電池蓋１５２の裏面、すなわち電池１５８に対向する面には、接片１６４が設けられている（図１７参照）。接片１６４は前述した接片２６と同様の構成を有するもので、ここではその説明は省略する。
【００３３】
図１６および図２５，２６に示すように、電池蓋１５２の回動の軸から遠い側の端（以下先端と記す）には、蓋体１５２に一体にフック１６６Ａ，１６６Ｂが設けられ、また電池ボックス１６０の、フック１６６Ａに対応する位置にはフック受け１６８が一体に設けられている。なお、図２６は、図２５に示すＧ−Ｇ線における断面図である。図１６に示されるように、電池蓋１５２が閉位置にあるときには、フック１６６Ａとフック受け１６８が係合して、電池蓋１５２の回動を阻止し、これを電池ボックス１６０の開口を塞いだ位置に保持している。図１７に示すように、蓋ベース１５６からは、先端に向けてストッパ１７０が延びている。ストッパ１７０は、電池蓋１５２が閉位置にあるときには、電池ボックス１６０の開口の縁に設けられた解除突起１７２に側方より当接されている。これによりストッパ１７０は、図１７および図２７，２８に示すようにフック１６６Ｂの先端から外れ１６６Ｂに重なった位置となる。なお、図２７は、図２８のＨ−Ｈ線における断面図である。
【００３４】
電池蓋の蓋体１５４を図１７の左方向に、蓋ベース１５６に対して摺動させると、フック１６６Ａとフック受け１６８の係合が解け、またストッパ１７０とフック１６６Ｂが重ならない位置となる（図１８参照）。この位置がフック解除位置である。フック解除位置においては、フック１６６Ａとフック受け１６８の係合が解除されているので、電池蓋１５２を回動することが可能となる。図１８の状態から、電池蓋１５２をわずかに回動させた状態が図１９に示されている。この回動により、解除突起１７２に側方より押され、撓んでいたストッパ１７０は、中立の位置に戻る。このときのストッパ１７０の先端は、電池蓋のフック１６６Ｂの先端と対向する位置である。この状態で、ストッパ１７０は、蓋体１５４の図中右方向（Ｘ方向）への摺動を阻止する。すなわち、蓋体１５４を摺動させようとしたとき、フック１６６Ｂの先端が、これと対向するストッパ１７０の先端に当接して、それ以上の移動が阻止される。また、図中左方向（−Ｘ方向）への摺動は、図２５，２６に示す蓋抜け防止リブ３１０と蓋ベースに成形した蓋抜け防止ストッパ部３００とにより阻止される。蓋体１５４は、ストッパ１７０がフック１６６Ｂの先端に当接した状態で回動し、図２０に示されるように電池ボックスを開放する開位置に至る。
【００３５】
電池蓋１５２を閉じる際、開位置からフック解除位置に至る間はストッパ１７０とフック１６６Ｂの先端が当接していることにより、蓋体１５４のＸ方向の動きは阻止される。そして、ストッパ１７０の側面に解除突起１７２が当接し、ストッパ１７０を撓ませ、これによりストッパ１７０とフック１６６Ｂの当接状態が解除される。また、このときまで、蓋体１５４のＸ方向の摺動が制限されているので、フック１６６Ａがフック受け１６８に乗り上げることが防止されている。ストッパ１７０とフック１６６Ｂの当接状態が解除されると、蓋体１５４の摺動が許容され、摺動させることによりフック１６６Ａとフック受け１６８を係合することができる。
【００３６】
また、シャフト１６２には捩りばね１７４を配置し（図１６，１７参照）、電池蓋１５２が開く方向に付勢力を与えることも可能である。
【００３７】
図２１から図２４は、本発明にかかる他の実施形態の電池の収容構造、特に電池蓋周囲の構造を示す図である。図２１は、電池ケース１８０を上方、すなわち電池をケース内に挿入する方向より見て、また部分的に破断した図である。図２２は図２１に示すＦ−Ｆ線における断面図である。また、図２３および図２４は、電池蓋開閉動作中の前記Ｆ−Ｆ線における断面図である。
【００３８】
図２１および図１７において、電池蓋１８２は、電池ケース１８０の開口を閉じた状態、すなわち閉位置にある。電池蓋１８２は、電池ケース１８０の開口を覆う部分である蓋体１８４と、この蓋体１８４を、図中左右方向に摺動可能に支持する蓋ベース１８６を含む。この蓋ベース１８６は、電池を収容する電池ボックス１９０に設けられたシャフト１９２に回動可能に支持されている。電池蓋１８２の裏面には、電池と接触する接片１９４が設けられている（図２２参照）。接片１９４は前述した接片２６と同様の構成を有するもので、ここではその説明は省略する。
【００３９】
図２２に示すように、電池蓋１８２の回動の軸から遠い側の端（以下先端と記す）には、蓋体１８４に一体にフック１９６が設けられ、また電池ボックス１９０の、このフックに対応する位置にはフック受け１９８が一体に設けられている。図２２に示されるように、電池蓋１８２が閉位置にあるときには、フック１９６とフック受け１９８が係合して、電池蓋１８２の回動を阻止し、これを電池ボックス１９０の開口を塞いだ位置に保持している。また、電池蓋の蓋体１８４の裏面のやや先端よりには、異形の板ばね状の部材であるストッパ２００が固定されている。図２１によく示されるように、ストッパ２００は蓋体１８４に固定される固定端部２０２と、この固定端部より先端（図中左方）に向けて延びる幹部２０４と、幹部より側方に延び、その後先端に向くかぎ部２０６とを有している。かぎ部２０６の先端は、図２２に示されるように下方に向けてかぎ状に屈曲し、Ｌ字形をなしている。幹部２０４は、フック受け１９８の上方まで延びている。
【００４０】
前述のように、図２２は電池蓋１８２が閉位置にある状態を示しており、このときストッパ幹部２０４の先端は、フック受け１９８の上面に当接し、ストッパ２００を上方に撓ませている。蓋体１８４を、蓋ベース１８６に対し左に摺動させて図２３の位置とすると、フック１９６とフック受け１９８の係合が解除され、電池蓋１８２の開位置への回動が可能となる。また、図２３に示すこの位置が電池蓋１８２のフック解除位置である。フック解除位置より電池蓋１８２を若干回動させた状態が図２４に示されている。この位置においては、フック受け１９８は、ストッパ２００を押しておらず、ストッパ２００は、中立の位置に戻っている。この位置は、ストッパ２００の先端が図２３の位置より蓋体１８４より離れる位置である。この中立位置に復帰したストッパのかぎ部２０６は、その先端が、蓋ベース１８６の先端２０８と係合する。この係合により、蓋体１８４のシャフト１９２に向かう方向の摺動が阻止される。電池蓋１８２は、この状態で回動し、電池ボックス１９０の開口を開放する開位置に移動可能となる。
【００４１】
電池蓋１８２を閉じるときには、開位置よりフック解除位置までは、ストッパのかぎ部２０６が蓋ベース１８６の先端２０８と係合しているため、蓋体１８４の摺動が阻止され、フック１９６がフック受け１９８に乗り上げることが防止される。フック解除位置に達する直前において、フック受け１９８がストッパの幹部２０４に当接し、ストッパ２００を撓ませて、ストッパのかぎ部２０６と蓋ベース１８６の係合を解除する。したがって、フック受け１９８は、ストッパと蓋ベースの係合を解除する解除突起として機能する。この係合が解除された後は、蓋体１８４の摺動が許可され、閉位置へ移動可能となる。また、前述の捩りばね１７４と同様の捩りばね２１０を設け、電池蓋１８２を開位置に向けて付勢することもできる。
【図面の簡単な説明】
【００４２】
【図１】本実施形態の電池ケース１０の外観を示す斜視図である。
【図２】電池ケース１０の電池蓋１８を開けた状態を示す図である。
【図３】電池蓋１８を示す斜視図である。
【図４】電池蓋１８が閉じた状態を示す図である。
【図５】電池蓋１８を摺動させ、ロックを解除した状態を示す図である。
【図６】電池蓋１８の開閉動作の説明図であり、蓋が閉位置にある状態を示す図である。
【図７】電池蓋１８の開閉動作の説明図であり、蓋がロック解除位置にある状態を示す図である。
【図８】電池蓋１８の開閉動作の説明図であり、蓋が開位置にある状態を示す図である。
【図９】他の実施形態の電池ケース６０の外観を示す斜視図である。
【図１０】電池蓋７０および接片２６の分解斜視図である。
【図１１】電池蓋７０の開閉動作の説明図である。
【図１２】組電池の外観を示す斜視図である。
【図１３】接片２６の取り付け状態を示す断面図である。
【図１４】電池ケースの底部の接点を示す図である。
【図１５】他の実施形態の電池ケースの蓋周囲を示す図である。
【図１６】図１５のＤ−Ｄ線による断面図である。
【図１７】図１５のＥ−Ｅ線による断面図である。
【図１８】電池蓋１５２の開閉動作の説明図であり、フックを解除した状態を示す図である。
【図１９】電池蓋１５２の開閉動作の説明図であり、ストッパ１７０が蓋体１５４に当接し、この蓋体の摺動を阻止している状態を示す図である。
【図２０】電池蓋１５２の開閉動作の説明図であり、蓋が開位置にある状態を示す図である。
【図２１】さらに他の実施形態の電池ケースの蓋周囲を示す図である。
【図２２】電池蓋１８２の開閉動作の説明図であり、蓋が閉位置にある状態を示す図である。
【図２３】電池蓋１８２の開閉動作の説明図であり、フックを解除した状態を示す図である。
【図２４】電池蓋１８２の開閉動作の説明図であり、ストッパ２００が蓋ベース１８６に当接し、蓋体の摺動を阻止している状態を示す図である。
【図２５】図１５の電池ケースの蓋を裏側から見た図である。
【図２６】図２５のＧ−Ｇ線による断面図である。
【図２７】図１５の電池ケースのフックとフック受けおよびストッパの位置関係を示す詳細図である。
【図２８】図１５の電池ケースのフックとフック受けおよびストッパの位置関係を示す詳細図である。
【符号の説明】
【００４３】
１０，６０，１５０，１８０  電池ケース、１２  収納空間、１６，１６０，１９０  電池ボックス、１８，７０，１５２，１８２  電池蓋、２０  シャフト、２４，７２  支持アーム、２６，１６４，１９４  接片、２８，１６６Ａ，１９６  フック、３０，１６８，１９８  フック受け、４６，１７０，２００  ストッパ、５０  レの字の内側の部分、６４  ラッチ片、７８  ラッチ受け、１５４，１８４  蓋体、１５６，１８６  蓋ベース、１７２  解除突起。
【図１】
2006156322.tif 000003
【図２】
2006156322.tif 000004
【図３】
2006156322.tif 000005
【図４】
2006156322.tif 000006
【図５】
2006156322.tif 000007
【図６】
2006156322.tif 000008
【図７】
2006156322.tif 000009
【図８】
2006156322.tif 000010
【図９】
2006156322.tif 000011
【図１０】
2006156322.tif 000012
【図１１】
2006156322.tif 000013
【図１２】
2006156322.tif 000014
【図１３】
2006156322.tif 000015
【図１４】
2006156322.tif 000016
【図１５】
2006156322.tif 000017
【図１６】
2006156322.tif 000018
【図１７】
2006156322.tif 000019
【図１８】
2006156322.tif 000020
【図１９】
2006156322.tif 000021
【図２０】
2006156322.tif 000022
【図２１】
2006156322.tif 000023
【図２２】
2006156322.tif 000024
【図２３】
2006156322.tif 000025
【図２４】
2006156322.tif 000026
【図２５】
2006156322.tif 000027
【図２６】
2006156322.tif 000028
【図２７】
2006156322.tif 000029
【図２８】
2006156322.tif 000030